(57)【要約】【課題】軽くて小さく、安価に製造できて、長柄と刃体との一体化時において、刃体に熱を加えることがない長柄カミソリ１００を簡単な構造によって提供すること。【解決手段】長柄１０の先端部に形成されて、先端にて開口する先端開口１１ａと、刃先３１を露出させる露出開口１１ｂとを備え、刃体３０を長柄１０に組み付けるための収納溝１１と、この収納溝１１内に組み付けられて、刃体３０を片側で坦持する合成樹脂からなる刃坦持板２０と、長柄１０の、収納溝１１の内端両側に突出形成されて、刃先３１の内端部の両側を覆う第１覆部４１・４１と、を備えたこと。【選択図】図１
2019041970.tif 000002
【特許請求の範囲】
【請求項１】
合成樹脂からなる長柄の一端部に、この長柄の長手方向と刃先の長手方向とが平行となるように、刃体を組み付けてなる長柄カミソリであって、
前記長柄の先端部に形成されて、先端にて開口する先端開口と、前記刃先を露出させる露出開口とを備え、前記刃体を前記長柄に組み付けるための収納溝と、
この収納溝内に組み付けられて、前記刃体を片側で坦持する合成樹脂からなる刃坦持板と、
前記長柄の、前記収納溝の内端両側に突出形成されて、前記刃先の内端部の両側を覆う第１覆部と、
を備えて、
前記刃体を前記収納溝に組み付けるにあたって、前記長柄の第１覆部にて前記刃先の内端を覆うようにしながら、前記収納溝内に前記刃体を坦持した前記刃坦持板を組み付けたことを特徴とする長柄カミソリ。
【請求項２】
前記長柄の、前記収納溝の先端片側に突出形成されて、前記刃先の先端部の一方側を覆う第２覆部と、
前記刃坦持板の先端側に突出形成されて、この刃坦持板とともに前記刃体を前記収納溝内に組み付けたとき、前記長柄側の第２覆部に対向して、前記刃先の先端部の他方側を覆う第３覆部と、
を備えたことを特徴とする請求項１に記載の長柄カミソリ。
【発明の詳細な説明】
【技術分野】
【０００１】
本発明は、カミソリ、特に、折り畳まれることはない長柄の先端部に、この長柄の長手方向に沿った刃体を有する長柄カミソリに関するものである。
【背景技術】
【０００２】
長柄カミソリは、一般的に、産毛除去や眉毛剃りに使用され、主として女性用として使用されるものである。つまり、この種の長柄カミソリは、女性が例えば顔面の非常に狭い箇所の除毛を鏡を見ながら行うものであって、まずは、軽くて小さいことが必要である。そして、この種の長柄カミソリは、顔面の狭い箇所を対象として使用されるから、小さくても安全なものである必要がある。
【０００３】
また、この種の長柄カミソリは、所謂使い捨てであるから、これを安価で、かつ軽くて小さなものとするには、製造する上で工夫を凝らさなければならない。現在では、この種の長柄カミソリの製造方法は略確立されており、長柄の先端部にカミソリ刃（刃体）を単に固定することで製品化されていて、そのための各種提案が、例えば特許文献１や特許文献２等においてなされている。
【先行技術文献】
【特許文献】
【０００４】
【特許文献１】特許第５６６９１８７号掲載公報
【特許文献２】特許第４３８８８２５号掲載公報
【発明の概要】
【発明が解決しようとする課題】
【０００５】
特許文献１には、「長柄カミソリの刃取付け構造の側面が金属板でなく、したがって金属から受ける冷たい感じを生じず、金属板を用いたときの重さよりも重量が軽く、且つ光線を反射して皮膚を照らす長柄カミソリを提供する」ことを目的として、本願の図４（特許文献１の図１）に示すように、「柄の前方に延びる刃取付け構造に、カミソリ刃が刃先縁を覗かせて柄の長手方向に取り付けられているカミソリであって、プラスチックで構成された刃取付け構造の少なくとも一方の側面に、金属板以外で構成された鏡面部が設けられていること」を特徴とする長柄カミソリが提案されている。
【０００６】
この特許文献１の長柄カミソリは、図４にも示すように、「カミソリ刃４」の先端（図１では左下端部）が露出したままとなっているため、この先端をうっかり顔面に当ててしまうと、怪我をする可能性がある。なお、この特許文献１で採用されているカミソリ刃では、「カミソリ刃の刃先縁を所定の間隔で露出させる透孔と前記刃先縁を所定の間隔で覆う被覆部とが交互に並ぶガードシート８が装着され」ているが、この「ガードシート８」自体を作り、これをカミソリ刃に一体化しなければならないから、製造工程が増大する。また、この「ガードシート８」はカミソリ刃の角部を覆わないものであるから、上述した怪我を発生させ易い。
【０００７】
特許文献２の「長柄かみそり」は、「カートリッジ式替刃の取着を簡単に行うことができる長柄かみそりを提供すること」を目的としてなされたものであり、本願の図５の（ａ）及び（ｂ）（特許文献２の図７及び図９）に示すように、「刃台に剃刃を固定し、その刃台の長手方向の裏面中央に、刃台の表裏方向に延びる一対の被挟着面を備えた係合部を形成するとともに、前記被挟着面の少なくとも一方には、同被挟着面と交差する方向に延びる被係入部を形成したカートリッジ式替刃を形成する」ものである。
【０００８】
一方で、この特許文献２の「長柄かみそり」は、「同カートリッジ式替刃を取替え可能に支持固定するための一対の支持部材をホルダに設け、両支持部材のうち少なくとも一方を可動挟着部材にして、該可動挟着部材を前記カートリッジ式替刃を支持する方向へ付勢する付勢部材を設け、前記付勢部材にて付勢された可動挟着部材には前記被係入部に対して係入する係入部を形成したこと」を特徴とするものでもある。
【０００９】
すなわち、この特許文献２の「長柄かみそり」は、カミソリ刃をカートリッジ化することにより、図５の（ｂ）にも示すように、カミソリ刃端部を覆うことができて、これにより怪我の発生を防止することはできるが、カミソリ刃をカートリッジ化したり、このカートリッジを交換可能な構造にしなければならないから、とても安価なものになるとは思えない。
【００１０】
そもそもこの種の長柄カミソリは、前述した通り、軽くて小さいこと、小さくても安全なものであることが必要であり、所謂使い捨てであるから、これを安価にしなければならない。また、特許文献１に記載されているようなガードシートは、金属の薄い板をエッチングする等して形成されるものであるが、金属である刃体に固定するには「熱」を掛けることがある。この加工時の熱が刃体に伝導すると、刃先の切れ味が鈍くなることが知られている。さらに、合成樹脂製の長柄の先端部に刃体を固定するには、刃体を長柄を構成する合成樹脂内にモールドすることもあるが、モールド時の合成樹脂からの熱が刃先を鈍らせてしまうことがある。
【００１１】
要するに、この種の長柄カミソリにおいては、
イ）軽くて小さく、安価に製造できるような構造であること。
ロ）長柄と刃体との一体化時において、刃体に熱を加えることがない構造であること。
ハ）そして、完成時においては、刃先端部が肌に向かって直接露出することがないようにして、刃先端部による怪我を完全に防止できる構造であること。
といった要望がある。
【００１２】
そこで、本発明者等は、上記のイ）〜ハ）の要望を叶える長柄カミソリとするにはどうしたらよいか、について種々検討を重ねてきた結果、本発明を完成したのである。
【００１３】
すなわち、本発明の第１の目的とするところは、軽くて小さく、安価に製造できて、長柄と刃体との一体化時において、刃体に熱を加えることがない長柄カミソリを簡単な構造によって提供することにある。
【００１４】
また、本発明の第２の目的とするところは、上記第１の目的を達成することができて、さらに、刃先端部が肌に向かって直接露出することがないようにして、刃先端部による怪我を完全に防止できる長柄カミソリを簡単な構造によって提供することにある。
【課題を解決するための手段】
【００１５】
以上の課題を解決するために、まず、請求項１に係る発明の採った手段は、後述する最良形態の説明中で使用する符号を付して説明すると、
「合成樹脂からなる長柄１０の一端部に、この長柄１０の長手方向と刃先３１の長手方向とが平行となるように、刃体３０を組み付けてなる長柄カミソリ１００であって、
長柄１０の先端部に形成されて、先端にて開口する先端開口１１ａと、刃先３１を露出させる露出開口１１ｂとを備え、刃体３０を長柄１０に組み付けるための収納溝１１と、
この収納溝１１内に組み付けられて、刃体３０を片側で坦持する合成樹脂からなる刃坦持板２０と、
長柄１０の、収納溝１１の内端両側に突出形成されて、刃先３１の内端部の両側を覆う第１覆部４１・４１と、
を備えて、
刃体３０を収納溝１１に組み付けるにあたって、長柄１０の第１覆部４１にて刃先３１の内端を覆うようにしながら、収納溝１１内に刃体３０を坦持した刃坦持板２０を組み付けたことを特徴とする長柄カミソリ１００」
である。
【００１６】
すなわち、本請求項１に係る長柄カミソリ１００は、合成樹脂製の長柄１０に収納溝１１を形成しておいて、同じく合成樹脂製の刃坦持板２０に刃体３０を坦持させて、この刃坦持板２０を長柄１０側の収納溝１１内に刃体３０ごと挿入などの手段によって組み付けたものである。つまり、本発明に係る長柄カミソリ１００は、長柄１０の先端部に形成した収納溝１１内に、刃体３０を坦持させた状態の刃坦持板２０を挿入するだけで完成できるものであり、その製造工程において刃体３０に熱を加えることもなければ、長柄１０に対する刃体３０の位置決めを行う装置や工程も必要なく、非常に安価に製造できるものとなっているのである。
【００１７】
また、本請求項１に係る長柄カミソリ１００では、長柄１０の、収納溝１１の内端部上には、図１に示すように、２つの第１覆部４１が互いに対向し合うようにして形成してある。これらの第１覆部４１は、収納溝１１内に挿入された刃坦持板２０に坦持された、刃体３０の内端部の両側を完全に覆うことになるものであるが、後述する実施形態では、収納溝１１の内端部上において、収納溝１１の間を窄める状態に形成してある。つまり、これらの第１覆部４１は、収納溝１１内に挿入されてきた刃坦持板２０の内端部を弾力的に掴み、あるいは挟み得るようにしてある。  
【００１８】
そして、以上の組み付け操作を容易に行えるようにするために、収納溝１１の先端には、図２に示すように、刃体３０を坦持した刃坦持板２０の先端からの挿入を容易にするための先端開口１１ａが形成してあり、この先端開口１１ａから挿入された刃体３０の刃先３１は、収納溝１１の図１に示す上端側で開口する露出開口１１ｂから外部に露出することになるのである。従って、刃体３０の大部分は、長柄１０の収納溝１１内に収納されていて、２つの第１覆部４１による両側の挟み込みと、刃坦持板２０による坦持との共働によって、長柄１０の先端部にしっかりと組み付けられるのである。
【００１９】
また、この長柄カミソリ１００は、従来より製造してきた刃体３０の一枚をそのまま使用できるとともに、合成樹脂製の長柄１０及び刃坦持板２０についても、近年富に発達してきている合成樹脂の型成形技術によって小さくかつ安価に製造できるのであるから、完成された長柄カミソリ１００としては、女性が手で持って使用するものとして適した、軽くて小さなものとなっているのである。
【００２０】
従って、この請求項１に係る長柄カミソリ１００は、
イ）軽くて小さく、安価に製造できるような構造となっている
ロ）長柄１０と刃体３０との一体化時において、刃体３０に熱を加えることがなく、その刃先３１が鈍ることはない
ものとなっているのである。
【００２１】
上記課題を達成するために、請求項２に係る発明の採った手段は、上記請求項１に記載の長柄カミソリ１００について、
「長柄１０の、収納溝１１の先端片側に突出形成されて、刃先３１の先端部の一方側を覆う第２覆部４２と、
刃坦持板２０の先端側に突出形成されて、この刃坦持板２０とともに刃体３０を収納溝１１内に組み付けたとき、長柄１０側の第２覆部４２に対向して、刃先３１の先端部の他方側を覆う第３覆部４３と、
を備えたこと」
である。
【００２２】
この請求項２に係る長柄カミソリ１００は、上記請求項１の、長柄１０に刃坦持板２０で坦持した刃体３０を組み付ける長柄カミソリ１００について、複雑な製造方法あるいは工程を経ることなく、使用上の安全をより一層図ることができるようにしたものであり、図１及び図２に示すように、長柄１０側の、収納溝１１の先端片側に突出形成されて、刃先３１の先端部の一方側を覆う第２覆部４２と、この第２覆部４２に対向すべく刃坦持板２０側に形成されて、刃先３１の先端部の他方側を覆うことになる第３覆部４３とを備えたものである。
【００２３】
ここで、図１及び図２に示したように、長柄１０側に、刃先３１の先端部の一方側を覆う第２覆部４２を、収納溝１１の先端片側に突出形成し、この第２覆部４２に対向する第３覆部４３を、刃先３１の先端部の他方側を覆うことになるように、刃坦持板２０側に形成したのは、次の理由による。この第３覆部４３に対応するもの、あるいは互いに対向し合う２つの第２覆部４２を収納溝１１の先端両側（両方とも長柄１０側）に突出形成すると、刃坦持板２０の収納溝１１内への挿入時にこれらの覆部が挿入抵抗となることを避けるためである。
【００２４】
つまり、収納溝１１の先端片側に、刃先３１の先端部の一方側を覆う第２覆部４２を形成しておき、刃先３１の先端部の他方側を覆う第３覆部４３を刃坦持板２０側に形成しておけば、この刃坦持板２０の収納溝１１内への挿入が完了したときに始めて、第２覆部４２と第３覆部４３とが互いに対向し合って刃体３０の先端の固定が完了し、それまで殆ど無抵抗の状態で、収納溝１１内への刃坦持板２０の挿入操作が行えるのである。
【００２５】
つまり、この長柄カミソリ１００は、刃坦持板２０で坦持した刃体３０を長柄１０に組み付けた後にあっては、その刃先３１の先端部（２つの略直角に尖った部分の内、長柄１０の先端側になっている部分）の両側が、図３に示すように、長柄１０側の第２覆部４２と刃坦持板２０側の第３覆部４３とによって覆われることになる。従って、この長柄カミソリ１００の使用中に、刃体３０の先端部が使用者の肌に直接接触することは無くなるから、当該長柄カミソリ１００の不用意な使用によっても怪我をすることはない。
【００２６】
従って、この請求項２に係る長柄カミソリ１００によれば、上記請求項１のそれと同様な機能を発揮するとともに、
ハ）完成時においては、刃先３１端部が肌に向かって直接露出することがなく、刃先３１端部による怪我を完全に防止する
という機能をも発揮するものとなっている。
【発明の効果】
【００２７】
以上説明した通り、請求項１に係る長柄カミソリ１００においては、
「合成樹脂からなる長柄１０の一端部に、この長柄１０の長手方向と刃先３１の長手方向とが平行となるように、刃体３０を組み付けてなる長柄カミソリ１００であって、
長柄１０の先端部に形成されて、先端にて開口する先端開口１１ａと、刃先３１を露出させる露出開口１１ｂとを備え、刃体３０を長柄１０に組み付けるための収納溝１１と、
この収納溝１１内に組み付けられて、刃体３０を片側で坦持する合成樹脂からなる刃坦持板２０と、
長柄１０の、収納溝１１の内端両側に突出形成されて、刃先３１の内端部の両側を覆う第１覆部４１・４１と、
を備えて、
刃体３０を収納溝１１に組み付けるにあたって、長柄１０の第１覆部４１にて刃先３１の内端を覆うようにしながら、収納溝１１内に刃体３０を坦持した刃坦持板２０を組み付けたこと」
にその構成上の特徴があり、これにより、軽くて小さく、安価に製造できて、長柄１０と刃体３０との一体化時において、刃体３０に熱を加えることがなくて刃先３１に鈍りのない長柄カミソリ１００を簡単な構造によって提供することができるのである。
【００２８】
また、請求項２に係る長柄カミソリ１００は、上記請求項１に記載の長柄カミソリ１００について、
「長柄１０の、収納溝１１の先端片側に突出形成されて、刃先３１の先端部の一方側を覆う第２覆部４２と、
刃坦持板２０の先端側に突出形成されて、この刃坦持板２０とともに刃体３０を収納溝１１内に組み付けたとき、長柄１０側の第２覆部４２に対向して、刃先３１の先端部の他方側を覆う第３覆部４３と、
を備えたこと」
に構成上の特徴があり、これにより、請求項１に係る長柄カミソリ１００と同様な効果を発揮することできて、さらに、刃先３１端部が肌に向かって直接露出することがないようにできて、刃先３１端部による怪我を完全に防止できる長柄カミソリ１００を簡単な構造によって提供することができるのである。
【図面の簡単な説明】
【００２９】
【図１】本発明に係る長柄カミソリ１００の分解斜視図である。
【図２】同長柄カミソリ１００の先端部を示す拡大正面図である。
【図３】同長柄カミソリ１００を示すもので、（ａ）は底面図、（ｂ）は側面図である。
【図４】特許文献１に示された従来技術を示す部分拡大側面図である。
【図５】特許文献２に示された従来技術を示すもので、（ａ）は部分拡大側面図、（ｂ）は複数の刃体を一体化したカートリッジの拡大斜視図である。
【発明を実施するための形態】
【００３０】
以上のように構成した各請求項に係る発明を、図面に示した実施の形態である長柄カミソリ１００について説明すると、図１には、本実施形態の長柄カミソリ１００の分解斜視図が示してあり、この長柄カミソリ１００は、合成樹脂製の長柄１０と、合成樹脂製の刃坦持板２０と、金属製の刃体３０との、３つの構成部材からなっている。これらの長柄１０、刃坦持板２０、及び刃体３０は、それぞれ単独かつ別行程で形成されるものであり、図１に示したような単純で加熱段階がない組み付け行程を経て一体化され、長柄カミソリ１００を形成することになる。
【００３１】
なお、図１では、刃体３０の刃先３１が上になる状態で示してあり、図２では、刃体３０の刃先３１が下になる状態で示してある。
【００３２】
長柄１０は、せいぜい、親指、人差し指及び中指で「鉛筆」を使用するように包み込んで使用できるような太さのものであり、片手で持って全体を動かすことにより、先端部に設けた刃体３０による産毛除去や眉剃りを行える程度の長さを有するものである。そして、この長柄１０全体を合成樹脂製のものとすることにより、上記操作が女性でも容易に行えるよう、非常に軽くしてある。具体的には、長手方向の長さが１４０ｍｍ〜１５０ｍｍ程度であり、当該長柄１０だけの重量は、４．５ｇである。
【００３３】
この長柄１０の先端部には、図１及び図２にも示したように、後述する刃体３０を坦持した刃坦持板２０が挿入できる収納溝１１が形成してある。この収納溝１１は、図２に示したように、先端（長柄１０の長手方向の先）にて開口する先端開口１１ａと、図１に示したように、刃先３１を露出させる露出開口１１ｂとを備えている。収納溝１１の先端開口１１ａは、図２から理解できるように、刃体３０を坦持した刃坦持板２０の先端からの挿入を容易にするためのものであり、一方、収納溝１１の図１に示す上端側で開口する露出開口１１ｂは、これから刃体３０の刃先３１を外部に露出させるものである。以上のような収納溝１１によって、刃体３０の大部分は、長柄１０内に完全に収納されることになり、後述する刃坦持板２０による坦持との共働によって、長柄１０の先端部にしっかりと組み付けられることになるのである。
【００３４】
また、以上のような長柄１０の、収納溝１１の内端両側（先端開口１１ａとは反対側の端部）には、当該収納溝１１内に刃体３０が組み付けられたとき、これを坦持している後述する刃坦持板２０の案内条２２が差し込まれてその両側を覆うことになる第１覆部４１・４１が突出形成してある。これらの第１覆部４１・４１は、上記収納溝１１内に挿入されてきた刃体３０を坦持している刃坦持板２０の案内条２２両側を包み込むものであり、結果として刃体３０全体の保持及び位置決めを行うとともに、刃先３１上を覆って、安全性をも高めるものである。
【００３５】
さらに、この長柄１０の、収納溝１１の先端片側には、当該収納溝１１内に組み付けられた刃体３０の刃先３１の先端部の一方側を覆う第２覆部４２が突出形成してある。この第２覆部４２は、後述する刃坦持板２０側に形成した第３覆部４３との共働で、刃先３１の先端部の両側を覆うものであり、これにより、当該長柄カミソリ１００の完成時において、刃先３１の先端部が肌に向かって直接露出することがないようにするものであり、刃先３１端部による怪我を未然に防ぐ役目を果たすことになるものである。
【００３６】
ここで、図１及び図２に示したように、長柄１０側に、刃先３１の先端部の一方側を覆う第２覆部４２を、収納溝１１の先端片側に突出形成し、この第２覆部４２に対向する第３覆部４３を、刃先３１の先端部の他方側を覆うことになるように、刃坦持板２０側に形成したのは、次の理由による。この第３覆部４３に対応するもの、あるいは互いに対向し合う２つの第２覆部４２を収納溝１１の先端両側（両方とも長柄１０側）に突出形成すると、刃坦持板２０の収納溝１１内への挿入時にこれらの覆部が挿入抵抗となることを避けるためである。
【００３７】
つまり、収納溝１１の先端片側に、刃先３１の先端部の一方側を覆う第２覆部４２を形成しておき、刃先３１の先端部の他方側を覆う第３覆部４３を刃坦持板２０側に形成しておけば、この刃坦持板２０の収納溝１１内への挿入が完了したときに始めて、第２覆部４２と第３覆部４３とが互いに対向し合って刃体３０の先端の固定が完了し、それまで殆ど無抵抗の状態で、収納溝１１内への刃坦持板２０の挿入操作が行えるのである。
【００３８】
なお、本実施形態の長柄１０における収納溝１１の底部には、図１にも示したように、長柄１０の長手方向に平行となる案内部１１ｃが形成してある。この案内部１１ｃは、当該収納溝１１内に刃体３０を坦持した刃坦持板２０を組み付けるにあたっての、後述する刃坦持板２０の案内と位置決めを行う直線状のものであり、この案内部１１ｃには、刃坦持板２０側に形成した案内条２２が嵌合される。また、この長柄１０の、上記第２覆部４２の下側部分には、図１にも示したように、係合穴１１ｄが形成してあるが、この係合穴１１ｄには、刃坦持板２０側に形成してある第３係合突起２４が係合されることになる。これらの係合穴１１ｄと第３係合突起２４との係合によって、刃体３０を坦持した刃坦持板２０の、長柄１０の収納溝１１に対する組み付けが、正しい位置で位置したことを保証することになるものである。
【００３９】
一方、刃体３０を坦持する合成樹脂製の刃坦持板２０には、図１及び図２に示したように、刃体３０がその係合穴３２にて組み付け・坦持されるべき第１係合突起２１が一体的に突出形成してあるが、これらの第１係合突起２１は当該刃坦持板２０に対する刃体３０の坦持位置を正確に決めるものである。また、この刃坦持板２０の下縁には案内条２２が形成してあるが、この案内条２２は、当該刃坦持板２０を長柄１０側の収納溝１１内に差し込むにあたって、収納溝１１内に形成してある案内部１１ｃと係合して、当該案内条２２と収納溝１１との係合と、刃坦持板２０の収納溝１１に対する案内を行うものである。
【００４０】
この刃坦持板２０の内端側（差し込まれる先の方）には、図１及び図２に示したように、第２係合突起２３が形成してあるが、この第２係合突起２３は、長柄１０側に形成してある一対の第１覆部４１間に挿入されることになるものであり、当該刃坦持板２０の長柄１０に対する位置決めと、当該刃坦持板２０に坦持されていた刃体３０の内端部上方の保護とを行うものである。
【００４１】
この刃坦持板２０の先端（外端）側には第３覆部４３が突出形成してあるが、この第３覆部４３は、当該刃坦持板２０とともに刃体３０を収納溝１１内に組み付けたとき、長柄１０側の第２覆部４２に対向して、刃先３１の先端部の他方側を覆うことになるものである。つまり、この第３覆部４３は、刃先３１の先端部の一方側を覆うことになる第２覆部４２に対向することにより、刃先３１の先端部の両側を共働して覆うものであり、結果的に、長柄カミソリ１００の完成時において、刃先３１の外端部を肌に向かって直接露出しないようにして、刃先３１外端部による怪我の発生を未然に防止することになるものである。
【符号の説明】
【００４２】
１００    長柄カミソリ
１０    長柄
１１    収納溝
１１ａ  先端開口
１１ｂ  露出開口
１１ｃ  案内部
１１ｄ  係合穴
１２    嵌合部
１３    キャップ止め
２０    刃坦持板
２１    第１係合突起
２２    案内条
２３    第２係合突起
２４    第３係合突起
２５    嵌合突起
３０    刃体
３１    刃先
３２    係合穴
【図１】
2019041970.tif 000003
【図２】
2019041970.tif 000004
【図３】
2019041970.tif 000005
【図４】
2019041970.tif 000006
【図５】
2019041970.tif 000007